(57)【特許請求の範囲】
【請求項１】
所定のカラオケ楽曲につき、複数の歌唱区間が設定されており、その演奏時に、歌詞文字にルビを振った歌詞テロップと、歌詞文字にルビを振らない歌詞テロップの何れかを表示できるカラオケシステムにおいて、
利用者ＩＤ取得手段と、歌唱採点手段と、利用者別歌唱採点値記録手段と、利用者別歌詞テロップ表示手段とを備えてなり、
（Ａ）利用者ＩＤ取得手段は、当該システムにログインした利用者ＩＤを特定し、
（Ｂ）歌唱採点手段は、前記利用者ＩＤが特定された利用者につき、選曲した楽曲の歌唱時、当該楽曲の前記歌唱区間毎に歌唱採点値を算出し、
（Ｃ）利用者別歌唱採点値記録手段は、利用者ＩＤを紐付けして楽曲毎に、前記算出された最新の歌唱採点値を、対応する歌唱区間毎に所定の利用者別歌唱採点記録部に記録し、
（Ｄ）利用者別歌詞テロップ表示手段は、任意の利用者による、所定の楽曲の選曲時、前記記録された最新の利用者別歌唱採点値に基づき、当該楽曲の歌唱区間毎、予め、設定された基準値を超えたか否かを判定し、当該楽曲の演奏時、各歌唱区間単位で、基準値を超えない場合には、歌詞文字にルビを振った歌詞テロップを表示し、基準値を超えた場合は、歌詞文字にルビを振らない歌詞テロップを表示するように制御する、
ことを特徴とするカラオケシステム。
【発明の詳細な説明】
【技術分野】
【０００１】
本発明はルビ表示機能付カラオケシステムに関するものであり、特に、利用者の楽曲歌唱習得の上達具合に応じて、歌詞文字にルビを振るか否かを自動設定できるようにしたカラオケシステムに関するものである。
【背景技術】
【０００２】
従来の此種カラオケシステムにおいて、例えば日本語の歌詞である場合は、歌詞テロップの漢字部分に振り仮名となるルビを振って、利用者に歌い易い環境にするシステムが知られている。また外国語の歌詞である場合は、歌詞テロップに日本語の仮名ルビを振ることもある。
【０００３】
しかし、利用者の中にはルビのない歌詞テロップでも十分に読解できる人もおり、そのような場合は、歌詞テロップのルビ表示が邪魔になることがある。また、外国語の歌唱が上手になりたい人も多く、最初は外国語の発音がうまくできたかどうか分からないので、歌詞テロップにルビ表示が必要であるが、ある程度外国語の発音に慣れてきたら、歌詞テロップのルビを見ないで歌ってみたい場合もでてくる。
【０００４】
近時、歌詞テロップにルビを振った楽曲を歌唱するときに、利用者の要望に応じて歌詞テロップにルビ表示を行わないようにできるカラオケ装置が知られている。例えば、歌詞およびルビの表示文字を記述した歌詞データを歌詞表示部へ転送する際に、ルビ表示を禁止する指定情報が書き込まれたときは、前記歌詞データの中のルビの部分を歌詞表示部へ転送するのを禁止し、モニタに表示される歌詞テロップにルビ表示しないようにしたカラオケ装置が知られている（例えば、特許文献１参照）。
【０００５】
また、利用者の歌唱音声情報と、所定の採点用発音情報とに基づき、利用者の発音一致度を判定し、判定された発音一致度に基づいてルビを振るかどうかを決定するようにしたカラオケ装置も知られている。このカラオケ装置は、１つの楽曲を複数の歌唱区間に分割し、それぞれの歌唱区間毎に利用者の発音一致度を判定し、楽曲の途中でルビの表示・非表示を自動切換えすることができる（例えば、特許文献２参照）。
【特許文献１】特開平７−１４０９９２号公報
【特許文献２】特開平９−２４４６６７号公報
【発明の開示】
【発明が解決しようとする課題】
【０００６】
特許文献１記載の発明は、歌詞テロップにルビが振られた楽曲を歌唱する際に、利用者の要望によりルビ表示を禁止すれば、モニタには歌詞文字のみが表示される。しかし、当該楽曲が利用者のお気に入りの場合は、当該楽曲を何回も選曲することがあり、その都度ルビ表示の禁止操作を行わなければならないので、操作性がよくなかった。また、１つの楽曲全部について、歌詞テロップにルビを振るか否かを設定するので、楽曲の中のある歌唱部分は上手に歌唱できるのでルビ表示を不要にしたいなど、部分的にルビを表示または非表示とすることができない。
【０００７】
特許文献２記載の発明は、１つの楽曲を複数の歌唱区間に分割し、それぞれの歌唱区間毎に利用者の発音一致度に基づく歌唱採点値を算出し、任意の歌唱区間にて、その採点値が所定の基準値を超えたか否かを判断し、この区間に続く歌唱区間のルビの有無を自動選択するものである。すなわち、利用者の外国語発音の上達度に対応して、効果的に歌唱テロップのルビ表示が行われる。しかし、ルビ有無が適用される歌唱区間は、直前の歌唱区間における採点値の善し悪しから判断されるものであって、自身の採点値の善し悪しによるものではなく、これでは、ルビ表示有無の整合性が取れない。さらに、この発明では、利用者を特定した所定の楽曲に対する経時的な上達についての判断ができず、個人一人一人に適応したルビ有無の効果的な自動選択方法も想到されていない。
【０００８】
そこで、利用者の楽曲歌唱習得の上達具合に応じて、利用者別楽曲別に、歌詞文字にルビを振るか否かを自動設定できるようにするために解決すべき技術的課題が生じてくるのであり、具体的には、利用者が選曲時や演奏時に特別な操作を行う手間がなく、利用者一人一人に適応した楽曲の歌唱習得ができ、特に、外国語を習得するために、その外国語の歌詞テロップに本国語のルビが振られている楽曲にて歌唱習得をしたい場合、効率的かつ効果的に習得できるカラオケシステムの提供を課題とする。
【課題を解決するための手段】
【０００９】
上記課題に鑑み、本発明者らは、利用者ＩＤが特定された利用者につき、選曲した楽曲の歌唱時、その歌唱採点値を算出し、その利用者ＩＤを紐付けして楽曲毎にこの算出された歌唱採点値を、所定の利用者別歌唱採点記録部に記録し、任意の利用者による所定の楽曲の選曲時、その最新の利用者別歌唱採点値に基づき、予め、設定された基準値を超えたか否かを判定し、当該楽曲の演奏時、基準値を超えない場合には、歌詞文字にルビを振った歌詞テロップを表示し、基準値を超えた場合は、歌詞文字にルビを振らない歌詞テロップを表示するように構成することで、解決できることを見出し、本発明を想到した。
【００１０】
すなわち、請求項１記載の発明は、所定のカラオケ楽曲につき、複数の歌唱区間が設定されており、その演奏時に、歌詞文字にルビを振った歌詞テロップと、歌詞文字にルビを振らない歌詞テロップの何れかを表示できるカラオケシステムにおいて、
利用者ＩＤ取得手段と、歌唱採点手段と、利用者別歌唱採点値記録手段と、利用者別歌詞テロップ表示手段とを備えてなり、
（Ａ）利用者ＩＤ取得手段は、当該システムにログインした利用者ＩＤを特定し、
（Ｂ）歌唱採点手段は、前記利用者ＩＤが特定された利用者につき、選曲した楽曲の歌唱時、当該楽曲の前記歌唱区間毎に歌唱採点値を算出し、
（Ｃ）利用者別歌唱採点値記録手段は、利用者ＩＤを紐付けして楽曲毎に、前記算出された最新の歌唱採点値を、対応する歌唱区間毎に所定の利用者別歌唱採点記録部に記録し、
（Ｄ）利用者別歌詞テロップ表示手段は、任意の利用者による、所定の楽曲の選曲時、前記記録された最新の利用者別歌唱採点値に基づき、当該楽曲の歌唱区間毎、予め、設定された基準値を超えたか否かを判定し、当該楽曲の演奏時、各歌唱区間単位で、基準値を超えない場合には、歌詞文字にルビを振った歌詞テロップを表示し、基準値を超えた場合は、歌詞文字にルビを振らない歌詞テロップを表示するように制御する、ことを特徴とするカラオケシステムを提供する。
【００１１】
この構成によれば、利用者ＩＤ取得手段が利用者ＩＤを識別して取得することにより、当該利用者がカラオケシステムにログインできる。この利用者ＩＤに基づいてカラオケホスト装置（サーバー）から当該利用者の利用者情報がダウンロードされる。この利用者情報には、当該利用者における楽曲毎について、ルビ表示の有無や、後述の歌唱採点値などのデータなどが含まれている。当該利用者が外国語の曲などで歌詞文字にルビが振られている歌詞テロップの楽曲を歌唱すると、歌唱採点手段が該楽曲の歌唱採点値を算出し、利用者別歌唱採点値記録手段が、この歌唱採点値に利用者ＩＤを紐付けして楽曲毎に所定の利用者別歌唱採点記録部に記録する。
【００１２】
任意の利用者が所定の楽曲の選曲したときは、利用者別歌詞テロップ表示手段が、前記最新の利用者別歌唱採点値に基づいて、該歌唱採点値が予め設定された基準値を超えたか否かを判定する。そして、当該楽曲の演奏時に前記歌唱採点値が前記基準値を超えない場合には歌詞文字にルビを振った歌詞テロップを表示する。一方、前記歌唱採点値が前記基準値を超えた場合には歌詞文字にルビを振らない歌詞テロップを表示する。
【００１４】
この構成によれば、１つのカラオケ楽曲が複数の歌唱区間に分割設定されており、歌唱採点手段が、それぞれの歌唱区間毎に利用者の歌唱採点値を算出し、利用者別歌唱採点値記録手段がこの歌唱採点値に利用者ＩＤを紐付けして楽曲毎に所定の利用者別歌唱採点記録部に記録する。
【００１５】
任意の利用者が所定の楽曲を選曲したときは、利用者別歌詞テロップ表示手段が、それぞれの歌唱区間毎に、前記最新の歌唱採点値が予め設定された基準値を超えたか否かを判定し、この判定結果に基づいて、各歌唱区間単位で歌詞文字にルビを振った歌詞テロップを表示したり、歌詞文字にルビを振らない歌詞テロップを表示する。
【発明の効果】
【００１６】
本発明は、上述したように、利用者の最新の歌唱採点値と基準値を比較して、最新の歌唱採点値が予め設定された基準値を超えない場合は、歌詞文字にルビを振った歌詞テロップを表示し、基準値を超えた場合は、歌詞文字にルビを振らない歌詞テロップを表示するので、
任意の利用者が、外国語をその外国語曲の歌唱により習得したい場合、上達を歌唱採点手段により客観的に判断できる。また、予め設定された上達の合格基準に従い、利用者の最新の歌唱採点値が基準に達した場合は、当該利用者が選曲した当該楽曲の次回演奏時には、ルビを見ないで歌唱しながら習得でき、演奏時にその都度ルビの有無を設定する手間がなく、効果的に歌唱習得ができる。
【００１７】
また、楽曲を複数の歌唱区間に設定し、ルビ有無が適用される歌唱区間が、当該区間自身の最新の歌唱採点値に基づき判断されるので、従来技術とは異なり、ルビ表示有無の整合性が取れる。このようにして、それぞれの歌唱区間毎にルビの有無が自動設定されるため、個人一人一人に適用された細分化した学習により、より効果的に歌唱習得ができる。
【発明を実施するための最良の形態】
【００１８】
以下、本発明に係るルビ表示機能付カラオケシステムについて、好適な実施例をあげて説明する。利用者別楽曲別にルビ表示の有無を登録可能とし、利用者の楽曲歌唱習得の上達具合に応じて、歌詞文字にルビを振るか否かを自動設定できるようにするという目的を達成するために、本発明は、所定のカラオケ楽曲につき、複数の歌唱区間が設定されており、その演奏時に、歌詞文字にルビを振った歌詞テロップと、歌詞文字にルビを振らない歌詞テロップの何れかを表示できるカラオケシステムにおいて、
利用者ＩＤ取得手段と、歌唱採点手段と、利用者別歌唱採点値記録手段と、利用者別歌詞テロップ表示手段とを備えてなり、
（Ａ）利用者ＩＤ取得手段は、当該システムにログインした利用者ＩＤを特定し、
（Ｂ）歌唱採点手段は、前記利用者ＩＤが特定された利用者につき、選曲した楽曲の歌唱時、当該楽曲の前記歌唱区間毎に歌唱採点値を算出し、
（Ｃ）利用者別歌唱採点値記録手段は、利用者ＩＤを紐付けして楽曲毎に、前記算出された最新の歌唱採点値を、対応する歌唱区間毎に所定の利用者別歌唱採点記録部に記録し、
（Ｄ）利用者別歌詞テロップ表示手段は、任意の利用者による、所定の楽曲の選曲時、前記記録された最新の利用者別歌唱採点値に基づき、当該楽曲の歌唱区間毎、予め、設定された基準値を超えたか否かを判定し、当該楽曲の演奏時、各歌唱区間単位で、基準値を超えない場合には、歌詞文字にルビを振った歌詞テロップを表示し、基準値を超えた場合は、歌詞文字にルビを振らない歌詞テロップを表示するように制御することにより実現した。
【実施例１】
【００１９】
図１は本発明に係るカラオケシステムの全体構成図であり、カラオケ演奏装置１０はＣＰＵ、ＲＡＭ、ＲＯＭ等を含む中央制御部１１を有し、ルータやモデム等の回線終端装置１２を介してネットワーク通信回線１００に接続され、該ネットワーク通信回線１００を介してカラオケホスト装置２００に接続されている。後述するように、カラオケ演奏装置１０から利用者の選曲情報をカラオケホスト装置２００へ送り、カラオケホスト装置２００からカラオケデータを受け取ってハードディスク装置１３に格納する。また、利用者から利用者ＩＤを取得してカラオケホスト装置２００へ送り、カラオケホスト装置２００から当該利用者の利用者情報を受け取る。
【００２０】
カラオケ演奏装置１０はリモコン装置５０を有し、該リモコン装置５０には表示部と入力部が一体になったグラフィカルユーザーインターフェイス（以下ＧＵＩという）５１が設けられている。利用者がＧＵＩ５１に表示される楽曲一覧から所望の楽曲を選択すれば、リモコン装置５０からカラオケ演奏装置１０へ当該楽曲ＩＤを含む選曲情報信号が送信される。この選曲情報信号がカラオケ演奏装置１０に備えられているリモコン受信部１４にて受信されると、受信された選曲情報信号が操作制御部１５を介して前記中央制御部１１に送られる。また、カラオケ演奏装置１０の本体に設けられている操作パネル１６にて直接楽曲ＩＤを入力した場合も、操作パネル１６から操作制御部１５を介して前記中央制御部１１に選曲情報信号が送られる。
【００２１】
中央制御部１１は操作制御部１５から選曲情報信号を受け取ると、選択された楽曲を選曲予約手段にて予約し、該当するカラオケデータを前記ハードディスク装置１３から読み出す。選曲情報に該当するカラオケデータがハードディスク装置１３に存在しないときは、前述した回線終端装置１２を介してネットワーク通信回線１００と接続し、前記カラオケホスト装置２００から該当するカラオケデータをダウンロードしてハードディスク装置１３に格納する。
【００２２】
前記カラオケデータは、カラオケ楽曲の伴奏音楽を生成するための演奏データと、モニタ等の表示手段に出力される歌詞テロップおよび背景映像である動画等の画像データを含んでいる。演奏データはＭＩＤＩ規格などで符号化された音源制御情報であり、画像データはコード化された歌詞文字群（ルビ文字データを含む）やＭＰＥＧ規格などで圧縮された映像の情報を含んでいる。
【００２３】
ここで、外国語の楽曲においては、前記歌詞テロップに日本語などのルビ文字が振られている。このルビ文字は中央制御部１１の制御により、通常のデフォルト設定では表示とするが、非表示にすることもできる。本発明におけるルビ文字とは、仮名文字や片仮名文字あるいはハングル文字といった音節文字や、アルファベットとして有名なアラビア文字やギリシャ文字あるいはキリル文字といった音素文字からなる表音文字であり、発音記号を構成するものであっても良い。なお、ルビ文字は日本語だけではなく中国語や韓国語あるいは英語やラテン語など、複数の国語の表音文字が用意されている。
【００２４】
中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。一方、利用者が歌唱する音声はマイク２０に集音され、前記ミキシングアンプ１８で伴奏音楽とミキシングされてスピーカ１９から再生される。
【００２５】
また、中央制御部１１は当該カラオケデータからこの伴奏音楽の生成に同期させて歌詞描出データを処理し、歌詞文字群を順次映像制御部２１にビットマップ展開させる。さらに、当該カラオケデータから楽曲に対応する動画データを抽出し、映像制御部２１にて背景映像に前記歌詞文字群をスーパーインポーズし、背景映像と歌詞文字群を表示手段であるモニタ２２の画面に表示させる。なお、本発明では、上記特許文献１に記載のように、ルビ表示データを独立して用意し、演奏時に、上記歌詞文字群から抽出されてなる歌詞テロップ本体と合成させるように構成しても、あるいは、独立させずに予め合成された歌詞テロップ（ルビ表示有テロップ）と非合成の歌詞テロップ（ルビ表示無しテロップ）の二種類（複数の国語の表音文字を対応させれば、さらに多種類となる）を用意しても構わない。
【００２６】
ここで、前記リモコン装置５０にはＧＵＩ５１のほかに、利用者ＩＤ記録媒体の一例であるＩＣカード５２を読み取るためのカードリーダ５３が設けられている。利用者が自分のＩＣカード５２を前記カードリーダ５３にセットすれば、利用者ＩＤ取得手段としてのカードリーダ５３が利用者ＩＤを識別して取得し、取得された利用者ＩＤが前記中央制御部１１に送られる。そして、ネットワーク通信回線１００によりカラオケホスト装置２００へ転送されて、当該利用者がカラオケシステムにログインすることができる。
【００２７】
利用者ＩＤが取得されてカラオケシステムにログインすると、カラオケホスト装置２００から当該利用者の利用者情報がダウンロードされ、当該利用者が歌唱した楽曲履歴や登録したお気に入り曲名などが、利用者の操作に応じてモニタ２２あるいはリモコン装置５０のＧＵＩ５１に表示される。
【００２８】
なお、前記利用者ＩＤ記録媒体としては前述のＩＣカード５２に限定されず、例えば携帯電話に利用者ＩＤを記録するマイクロチップを内蔵しておき、該携帯電話をリモコン装置にセットして利用者ＩＤを読み取るように構成することもできる。かかる構成の場合は、特にＩＣカードを別途用意する必要がなく、利用者が通常に持っている携帯電話にてカラオケシステムにログインすることができ、当該利用者が使用する楽器の選択も自動的に行われる。また、利用者ＩＤ記録媒体から利用者ＩＤを読み取る装置は、前記リモコン装置５０に設けなくてもよく、他の機器或いは単独して設置してもよい。
【００２９】
ここで、歌詞テロップについて述べれば、外国語の楽曲では歌詞テロップが外国語であり、利用者が歌いやすいように日本語の仮名ルビを振ることが多い。従来のカラオケシステムでは、利用者がルビ表示を必要としない場合であっても、ルビ表示を消すことができないものが普通であった。あるいは、消すことができるシステムであっても、演奏の都度ルビ表示の禁止操作を行わなければならないという手間があった。しかしながら、本発明のカラオケシステムでは、任意の楽曲について、利用者の楽曲歌唱習得の上達具合に応じて、歌詞文字にルビを振るか否かを自動設定できる。
【００３０】
図２は制御手順のフローチャート、図３〜図５はルビ表示機能画面の説明図である。図１〜図５に従って、当該カラオケシステムにおけるルビ表示機能について説明する。なお、説明の都合上、以下、特に記述がないかぎり、各手段のプログラムあるいは各手段によって生成または記録されるデータは、カラオケ演奏装置１０の中央制御部１１内のメモリもしくはハードディスク装置１３に記録されるものとする。
【００３１】
先ず、利用者ＩＤ取得手段であるカードリーダ５３に利用者のＩＣカード５２をセットすることにより、当該利用者の利用者ＩＤが取得されて中央制御部１１に送られ、カラオケホスト装置２００に記録されている当該利用者の利用者情報が中央制御部１１に取り込まれる（ステップ101）。
【００３２】
利用者ＩＤが取得されてカラオケシステムにログインすると、取得された利用者ＩＤに基づいて、カラオケホスト装置２００に記録されている利用者情報の中から、「利用者別ルビ表示情報および発音採点値記録テーブル」をダウンロードしてカラオケ演奏装置１０に記録する。この「利用者別ルビ表示情報および発音採点値記録テーブル」を表１に示す。このテーブルには、利用者ＩＤと、予約登録された楽曲ＩＤと、歌唱採点値と、ルビ表示情報とが記録される。
【００３３】
【表１】
0004493620.tif 000002
楽曲の予約登録時には、前記テーブルに記録されているデータが読み込まれる（ステップ102）。前記テーブルに示すように、楽曲ＩＤ＝1111-11については歌唱採点値が「６」、ルビ表示情報は「ルビあり」である。また、楽曲ＩＤ＝2222-01については歌唱採点値が「８」であり、ルビ表示情報は「ルビなし」となっている。
【００３４】
利用者別歌詞テロップ表示手段は、当該利用者が所定の楽曲を選曲したときに、最新の歌唱採点値が基準値を超えているか否かを判定する（ステップ103）。いま、基準値を例えば「６」とすれば、前述した楽曲ＩＤ＝1111-11については歌唱採点値が「６」であり、基準値を超えていないので、ルビ表示フラグを立てる(ステップ103→104→105)。これに対して、楽曲ＩＤ＝2222-01については歌唱採点値が「８」であり、基準値「６」を超えているので、ルビ表示フラグは立てない(ステップ103→105)。
【００３５】
従って、当該利用者が前記楽曲ＩＤ＝1111-11を選曲すると、利用者ＩＤと楽曲ＩＤと、歌唱採点値とルビ表示情報が紐付けされて、次のデータが選曲情報信号としてカラオケ演奏装置１０に送られて、予約登録がなされる。
【００３６】
DK_TAROU(当該利用者ＩＤ)＋1111-11 (楽曲ＩＤ)＋SAITEN06（採点６）＋FLUG01-01(ルビあり)。
【００３７】
また、前記楽曲ＩＤ＝2222-01を選曲すると、利用者ＩＤと楽曲ＩＤと歌唱採点値とルビ表示情報が紐付けされて、次のデータが選曲情報信号としてカラオケ演奏装置１０に送られて、予約登録がなされる。
【００３８】
DK_TAROU(当該利用者ＩＤ)＋2222-01 (楽曲ＩＤ)＋SAITEN08（採点８）＋FLUG00-00(ルビなし)
楽曲の予約登録が完了すると、選曲された楽曲の演奏が開始され、楽曲演奏がスピーカ１９から再生されるとともに、背景映像と当該楽曲の歌詞テロップが、楽曲の進行に同期してモニタ２２に表示される。このとき、前記ルビ表示フラグがあれば、図３に示すように、前記モニタ２２には、歌詞文字にルビ７０を振った歌詞テロップ７１が表示される(ステップ106→107)。また、ルビ表示フラグがなければ、図４に示すように、モニタ２２には、歌詞文字にルビを振らない歌詞テロップ７２が表示される(ステップ106→108) 。
【００３９】
当該利用者の歌唱が始まると、歌唱採点手段が所定の採点用歌唱情報に基づき、当該利用者の歌唱採点値を算出し、利用者別歌唱値採点記録手段は、前記算出された歌唱採点値を当該利用者の利用者ＩＤに紐付けして、所定の利用者別歌唱採点記録部に記録する。
【００４０】
例えば、当該利用者が前記楽曲ＩＤ＝1111-11を歌唱したときに、歌唱採点手段が算出した歌唱採点値が「８」となった場合、図５に示すように、モニタ２２には、歌唱採点結果７３が表示される。そして、前記利用者別歌唱値採点記録手段が新たな歌唱採点値「８」を利用者ＩＤに紐付けして記録し、演奏が終了したときに、この記録に基づき前記「利用者別ルビ表示情報および発音採点値記録テーブル」を更新する。
【００４１】
【表２】
0004493620.tif 000003
表２は更新されたテーブルを示し、○で囲ったように、楽曲ＩＤ＝1111-11における最新の歌唱採点値が「８」に更新され、最新の歌唱採点値が基準値を超えたので、前記利用者別歌詞テロップ表示手段は、当該楽曲のルビ表示情報を「ルビなし」に変更する。従って、当該利用者が、次回この楽曲ＩＤ＝1111-11を選曲したときは、ルビ表示情報が基準値「６」を超えているので、ルビ表示フラグは立てない。従って、次回のカラオケ演奏時には、図４に示すように、モニタ２２に歌詞文字にルビを振らない歌詞テロップ７２が表示されることになる。
【００４２】
図６は制御手順の他の実施例を示すフローチャートである。前述した制御では、所定のカラオケ楽曲の一曲につき、その演奏時に、最新の歌唱採点値が基準値を超えているか否かを判定し、歌詞文字にルビを振った歌詞テロップと、歌詞文字にルビを振らない歌詞テロップの何れかを表示する構成であったが、こちらの制御では、１つのカラオケ楽曲に複数の歌唱区間を設定してあり、それぞれの歌唱区間毎に、最新の歌唱採点値が基準値を超えたか否かを判定し、この判定結果に基づいて、各歌唱区間単位で歌詞文字にルビを振った歌詞テロップと、歌詞文字にルビを振らない歌詞テロップの何れかを表示する構成である。なお、説明の都合上、図２の制御手順と相違している箇所のみ説明する。
【００４３】
取得された利用者ＩＤに基づいて、表３に示すような「利用者別ルビ表示情報および発音採点値記録テーブル」がダウンロードされる。このテーブルには、利用者ＩＤと、予約登録された楽曲ＩＤにおけるそれぞれの歌唱区間ＩＤと、歌唱採点値と、ルビ表示情報とが記録される。
【００４４】
【表３】
0004493620.tif 000004
当該利用者が楽曲の予約登録を行うときに、当該利用者が例えば楽曲ＩＤ＝1111-11を選曲すると、この楽曲のそれぞれの歌唱区間ＩＤと歌唱採点値とルビ表示情報が紐付けされて、それぞれの歌唱区間のデータが選曲情報信号としてカラオケ演奏装置１０に送られて、予約登録がなされる。最初の歌唱区間001のデータを下記に示す。
【００４５】
[歌唱区間001のデータ]:  DK_TAROU(当該利用者ＩＤ)＋1111-11-001(歌唱区間ＩＤ)＋SAITEN05（採点５）＋FLUG01-01(ルビあり)
以下、それぞれの歌唱区間のデータがすべてカラオケ演奏装置１０に送られて、予約登録がなされる（ステップ102）。歌唱区間毎に、最新の歌唱採点値が基準値を超えたか否かによってルビ表示フラグを設定し、カラオケ演奏が開始されると、ルビ表示フラグに応じて、歌詞文字にルビを振った歌詞テロップと、歌詞文字にルビを振らない歌詞テロップの何れかが表示される（ステップ103→108）。
【００４６】
そして、それぞれの歌唱区間毎に、歌唱採点手段が当該歌唱区間における新たな歌唱採点値を算出し、利用者別歌唱値採点記録手段は、前記算出された新たな歌唱採点値を当該利用者の利用者ＩＤに紐付けして、当該歌唱区間毎に所定の利用者別歌唱採点記録部に記録する（ステップ109→110）。
【００４７】
１つの歌唱区間が終了すると（ステップ111）、次の歌唱区間でも同様にして新たな歌唱採点値を記録していき、すべての歌唱区間を経て楽曲の演奏が終了したときに（ステップ112）、この記録に基づき前記「利用者別ルビ表示情報および発音採点値記録テーブル」を更新する。
【００４８】
このように、カラオケ楽曲の一曲毎、あるいは楽曲の歌唱区間毎に、利用者の楽曲歌唱習得の上達具合に応じて、歌詞文字にルビを振るか否かを自動設定できるため、利用者が選曲時や演奏時に特別な操作を行う手間がなく、利用者一人一人に適応した楽曲の歌唱習得ができ、特に、外国語をその外国語曲、すなわち、外国語の歌詞テロップに本国語のルビが振られている楽曲の歌唱習得をしたい場合、効率的かつ効果的に習得できる。
【００４９】
なお、本発明は、本発明の精神を逸脱しない限り種々の改変を為すことができ、そして、本発明が該改変されたものに及ぶことは当然である。
【図面の簡単な説明】
【００５０】
【図１】本発明に係るカラオケシステムの全体構成図。
【図２】本発明に係る制御手順のフローチャート。
【図３】本発明に係るルビ表示機能画面の説明図。
【図４】本発明に係るルビ表示機能画面の説明図。
【図５】本発明に係るルビ表示機能画面の説明図。
【図６】本発明に係る他の制御手順のフローチャート。
【符号の説明】
【００５１】
１０  カラオケシステム
１１  中央制御部
１３  ハードディスク装置
２１  映像制御部
２２  モニタ
５０  リモコン装置
５１  ＧＵＩ
７０  ルビ
７１  ルビを振った歌唱テロップ
７２  ルビを振らない歌唱テロップ
７３  歌唱採点値
【図１】
0004493620.tif 000005
【図２】
0004493620.tif 000006
【図３】
0004493620.tif 000007
【図４】
0004493620.tif 000008
【図５】
0004493620.tif 000009
【図６】
0004493620.tif 000010